(57)【要約】【課題】適用場所や意匠性に制限を来たす屋外側枠体の肥大化を招くことがなく、かつ、建物躯体への支持強度（取付強度）も十分に取ることが可能となるよう、一層改善された断熱ドア装置を提供する。【解決手段】断熱ドア装置において、建物の躯体に取付け可能な第１枠１Ａと、縦軸心Ｐ回りで揺動開閉可能にドア２を枢支し、かつ、断熱材３を介して第１枠１Ａに連結される第２枠１Ｂとを有するとともに、断熱材３を板状に形成してその表面３ａが両枠１Ａ，１Ｂのうちのいずれか一方に面当接され、かつ、裏面３ｂがいずれか他方に面当接される状態で第１枠１Ａと第２枠１Ｂとの間に介装する。【選択図】図５
2009221790.tif 000002
【特許請求の範囲】
【請求項１】
建物の躯体に取付け可能な第１枠と、縦軸心回りで揺動開閉可能にドアを枢支し、かつ、断熱材を介して前記第１枠に連結される第２枠とを有するとともに、前記断熱材が板状に形成されてその表面が前記両枠のうちのいずれか一方に面当接され、かつ、裏面がいずれか他方に面当接される状態で前記第１枠と前記第２枠との間に介装されている断熱ドア装置。
【請求項２】
前記第１枠と前記断熱材とが第１螺子で連結され、かつ、前記第２枠と前記断熱材とが第２螺子で連結されることにより、前記第１枠と前記第２枠とが連結されている請求項１に記載の断熱ドア装置。
【請求項３】
前記第１螺子の締弛操作が前記第２枠側から行えるようにするための第１螺子操作用手段が設けられている請求項２に記載の断熱ドア装置。
【請求項４】
閉じ状態での前記ドアのドア面に沿う方向において前記第１枠が前記第２枠よりも内側に張り出る突出部を有し、かつ、前記断熱材が前記突出部にも重なるように設定されるとともに、前記第１螺子を前記突出部に配置することによって前記第１螺子操作用手段が構成されている請求項３に記載の断熱ドア装置。
【請求項５】
閉じ状態での前記ドアに接触させて気密させるためのドアシール材が、前記断熱材を介して前記突出部に設置されている請求項４に記載の断熱ドア装置。
【請求項６】
前記断熱材が、前記第１枠と前記第２枠との間に介装される主板状部と、その主板状部の一端から前記主板状部の面に沿う方向に交差する方向に延設される補助板状部と、を有する断面Ｌ字形状又はほぼＬ字形状の型材に形成されるとともに、前記主板状部と前記補助板状部との双方において前記断熱材と前記第２枠とが相対固定されている請求項１〜５の何れか一項に記載の断熱ドア装置。
【請求項７】
前記断熱材が、前記ドアの上下各辺に対応する上断熱片及び下断熱片と、前記縦軸心存在側の側辺に対応する軸心側断熱片と、開閉側の側辺に対応する開閉側断熱片とを有して構成されており、前記軸心側断熱片の厚みがその他の断熱片の厚みよりも厚く設定されている請求項１〜６の何れか一項に記載の断熱ドア装置。
【請求項８】
前記第１枠の第２枠側壁と前記第２枠の第１枠側壁とが対向配備され、前記第２枠側壁と前記第１枠側壁との間に前記断熱材が介装されている請求項１に記載の断熱ドア装置。
【請求項９】
前記第２枠側壁と前記断熱材と前記第１枠側壁とがこれらを貫通する螺着手段によって一体的に連結されている請求項８に記載の断熱ドア装置。
【請求項１０】
前記断熱材が前記第２枠側壁又は前記第１枠側壁を挟み込み可能となるように、前記断熱材の断面形状がコ字形又はほぼコ字形或いはＪ字形又はほぼＪ字形に形成されている請求項８又は９に記載の断熱ドア装置。
【請求項１１】
前記断熱材が、硬質材製の心材と断熱材料による表層とが積層一体化されて成る積層部材に構成されている請求項１〜１０の何れか一項に記載の断熱ドア装置。
【請求項１２】
前記断熱材が合成樹脂製のものである請求項１〜１１の何れか一項に記載の断熱ドア装置。
【発明の詳細な説明】
【技術分野】
【０００１】
本発明は、マンションやオフィスビル等における玄関、ベランダ等の外部へ通ずる開口部、或いは非常口等に設置される断熱ドア装置に関するものである。
【背景技術】
【０００２】
断熱ドア装置は、断熱性や遮音性に優れ、玄関ドア、緊急非難ドアといった戸外と戸内との仕切に主に設置されており、防火ドアとしても役立つことができる。
【０００３】
従来の断熱ドア装置としては、特許文献１や特許文献２において開示されたものが知られている。特許文献１にて開示される断熱ドア装置（断熱ドア）は、ドアを開閉可能に支持するドア枠を、屋外側の金属枠と屋内側の樹脂枠とを連結一体化して構成することにより、屋外側と屋内側との断熱を図っている。しかしながら、断熱性を持たせるための樹脂材自体で屋内側の枠が構成されているため、建物躯体への取付強度や支持強度の点では不安が残る。
【０００４】
そこで、特許文献２にて開示される断熱ドア装置（断熱ドア）のように、屋外側及び屋内側のいずれも金属製の枠とし、それら両者を樹脂部材を介して連結する構造とすることにより、断熱性を得ながら建物躯体への取付け強度や支持強度も持たせることが可能となるように思える。ところが、屋内側の枠体の建物躯体への支持強度等に関しては特許文献１の断熱ドア装置に比べて改善できるが、樹脂部材を介して連結される屋外側の枠体の支持強度を十分に取り難い問題がある。
【０００５】
即ち、ドアを枢支する屋外側の枠体には十分な支持強度を必要とするが、ビスやボルト等を用いて建物躯体に固定される屋内側の枠体には、金属材に比べて強度や剛性に劣る樹脂部材を介して連結されることから支持強度が不足気味になることが予測されるのである。その点に関しては、特許文献２の図１等に示されるように、屋外側の枠体（符号１０や３０が付された部材等）を、建物の外面に沿う長さ（面積）を大きく取った大型な構造体とすることにより、実質的な支持強度を補うことが可能となる手段が採られているのが理解できる。
【０００６】
しかしながら、その「屋外側の枠体を大型化すること」が必須条件となる構成の断熱ドア装置では、間口の狭い玄関等には適用できない（又は適用し難い）とか、薄肉のイメージを持つ外枠の採用が不可になる等、意匠性にも制限が出るものとなる。従って、それら適用場所や外観等の制限が無く、かつ、支持強度も十分なものとなる断熱ドア装置を実現させるには更なる改善の余地が残されているものであった。
【特許文献１】特開２００４−２９３２２７号公報
【特許文献２】特開２００２−６１４６３号公報
【発明の開示】
【発明が解決しようとする課題】
【０００７】
本発明の目的は、構造をさらに工夫することにより、適用場所や意匠性に制限を来たす屋外側枠体の肥大化を招くことがなく、かつ、建物躯体への支持強度（取付強度）も十分に取ることが可能となるよう、一層改善された断熱ドア装置を提供する点にある。
【課題を解決するための手段】
【０００８】
請求項１に係る発明は、断熱ドア装置において、建物の躯体Ｋに取付け可能な第１枠１Ａと、縦軸心Ｐ回りで揺動開閉可能にドア２を枢支し、かつ、断熱材３を介して前記第１枠１Ａに連結される第２枠１Ｂとを有するとともに、前記断熱材３が板状に形成されてその表面３ａが前記両枠１Ａ，１Ｂのうちのいずれか一方に面当接され、かつ、裏面３ｂがいずれか他方に面当接される状態で前記第１枠１Ａと前記第２枠１Ｂとの間に介装されていることを特徴とするものである。
【０００９】
請求項２に係る発明は、請求項１に記載の断熱ドア装置において、前記第１枠１Ａと前記断熱材３とが第１螺子１４で連結され、かつ、前記第２枠１Ｂと前記断熱材３とが第２螺子３８で連結されることにより、前記第１枠１Ａと前記第２枠１Ｂとが連結されていることを特徴とするものである。
【００１０】
請求項３に係る発明は、請求項２に記載の断熱ドア装置において、前記第１螺子１４の締弛操作が前記第２枠１Ｂ側から行えるようにするための第１螺子操作用手段２２が設けられていることを特徴とするものである。
【００１１】
請求項４に係る発明は、請求項３に記載の断熱ドア装置において、閉じ状態での前記ドア２のドア面２ａ，２ｂに沿う方向において前記第１枠１Ａが前記第２枠１Ｂよりも内側に張り出る突出部ｔを有し、かつ、前記断熱材３が前記突出部ｔにも重なるように設定されるとともに、前記第１螺子１４を前記突出部ｔに配置することによって前記第１螺子操作用手段２２が構成されていることを特徴とするものである。
【００１２】
請求項５に係る発明は、請求項４に記載の断熱ドア装置において、閉じ状態での前記ドア２に接触させて気密させるためのドアシール材１３が、前記断熱材３を介して前記突出部ｔに設置されていることを特徴とするものである。
【００１３】
請求項６に係る発明は、請求項１〜５の何れか一項に記載の断熱ドア装置において、前記断熱材３が、前記第１枠１Ａと前記第２枠１Ｂとの間に介装される主板状部３ｉと、その主板状部３ｉの一端から前記主板状部３ｉの面に沿う方向に交差する方向に延設される補助板状部３ｆと、を有する断面Ｌ字形状又はほぼＬ字形状の型材に形成されるとともに、前記主板状部３ｉと前記補助板状部３ｆとの双方において前記断熱材３と前記第２枠１Ｂとが相対固定されていることを特徴とするものである。
【００１４】
請求項７に係る発明は、請求項１〜６の何れか一項に記載の断熱ドア装置において、前記断熱材３が、前記ドア２の上下各辺に対応する上断熱片３Ａ及び下断熱片３Ｂと、前記縦軸心Ｐ存在側の側辺に対応する軸心側断熱片３Ｃと、開閉側の側辺に対応する開閉側断熱片３Ｄとを有して構成されており、前記軸心側断熱片３Ｃの厚みがその他の断熱片３Ａ，３Ｂ，３Ｄの厚みよりも厚く設定されていることを特徴とする。
【００１５】
請求項８に係る発明は、請求項１に記載の断熱ドア装置において、前記第１枠１Ａの第２枠側壁１ｆと前記第２枠１Ｂの第１枠側壁１ｒとが対向配備され、前記第２枠側壁１ｆと前記第１枠側壁１ｒとの間に前記断熱材３が介装されていることを特徴とする。
【００１６】
請求項９に係る発明は、請求項８に記載の断熱ドア装置において、前記第２枠側壁１ｆと前記断熱材３と前記第１枠側壁１ｒとがこれらを貫通する螺着手段Ｒによって一体的に連結されていることを特徴とする。
【００１７】
請求項１０に係る発明は、請求項８又は９に記載の断熱ドア装置において、前記断熱材３が前記第２枠側壁１ｆ又は前記第１枠側壁１ｒを挟み込み可能となるように、前記断熱材３の断面形状がコ字形又はほぼコ字形或いはＪ字形又はほぼＪ字形に形成されていることを特徴とする。
【００１８】
請求項１１に係る発明は、請求項１〜１０の何れか一項に記載の断熱ドア装置において、前記断熱材３が、硬質材製の心材４０と断熱材料による表層３９とが積層一体化されて成る積層部材に構成されていることを特徴とする。
【００１９】
請求項１２に係る発明は、請求項１〜１１の何れか一項に記載の断熱ドア装置において、前記断熱材３が合成樹脂製のものであることを特徴とする。
【発明の効果】
【００２０】
請求項１の発明によれば、断熱材をその肉厚側という極短い（薄い）距離を隔て、かつ、広い接触面積でもって第１枠と第２枠との間に介装させた状態で、それら第１枠と第２枠とを相対固定することができるので、第２枠及びドアに対して第１枠を十分に断熱させることが可能になるとともに、第１枠と断熱材、及び断熱材と第２枠とがそれぞれ面接触状態で一体化され、必要な支持強度も得ることが可能になる。従って、第２枠が屋外側となる場合のドアにも好適である。また、第２枠がこれと第１枠との間に断熱材を挟むサンドイッチ構造によって強度十分に支持されるので、例えば、建物表面に広い面積でもって沿わせることで支持強度を補うような構成を採る必要がなく、第２枠の枠厚を薄くも厚くもすることが自在であり、狭い箇所でも配置取付可能である上、必要な機能を維持しながら意匠性（デザイン性）の自由度も高くすることが可能である。
【００２１】
その結果、構造をさらに工夫することにより、適用場所や意匠性に制限を来たす屋外側枠体の肥大化を招くことがなく、かつ、建物躯体への支持強度（取付強度）も十分に取ることが可能となるよう、一層改善された断熱ドア装置を提供することができる。この場合、請求項１２のように、断熱材を合成樹脂製とすれば、十分な断熱作用と優れた支持強度、即ち第１枠と第２枠との強固な一体化とが両立可能となる利点がある。
【００２２】
請求項２の発明によれば、断熱材と各枠とが各別に螺子連結されているから、例えば、断熱材を介して第１枠と第２枠とをボルト連結する場合に比べて、螺子を介しての伝熱作用も防止することが可能になり、より断熱性を向上させることができる利点がある。
【００２３】
請求項３の発明によれば、断熱材と第１枠との締付連結及び弛み分離が第２枠側から操作できるから、建物等へ組付後においても第２枠の取外しや再組付けを行うことが可能となる。従って、第２枠が汚れたり損傷した場合の新品等への交換とか、第２枠を異なるデザインや形状のものに付替えることが可能となり、使い勝手や汎用性が向上する断熱ドア装置を提供することができる。
【００２４】
請求項４の発明によれば、第１枠における第２枠よりもドア内方側に張り出た突出部において、断熱材を第１枠に螺着させてあるから、例えば第２枠に第１螺子を操作するための操作用孔やきり欠きを形成する必要がなく、生産工程上で有利であるとともに余計なコストも不要となる良さがある。また、第１螺子の操作を第２枠側から行わせる構成では、閉じ状態のドアや化粧モール材、或は請求項５に言うドアシール材により、断熱材付の突出部を普段は見えないようにする手段を採ることが可能となる利点もある。
【００２５】
請求項６の発明によれば、第１枠と第２枠との間に介装される板状の断熱材をＬ字形状（又はほぼＬ字形状）として、一方の枠に断熱材を２方向から螺子固定できるようにしてあるから、その一方の枠と断熱材とをがたつきなく、かつ、強固に連結一体化することが可能になる。これは、例えば断熱材が双方の枠に一方向の螺子のみで固定される構造に比べて、第１枠と第２枠との相対的ながたつきや一体化強度の各点において明らかに有利であり、断熱材を介しながらも十分な強度や剛性を有するより好ましいドア枠、即ち断熱ドア装置を提供することができる。
【００２６】
請求項７の発明によれば、次のような効果がある。即ち、第２上横部材及び第２下横部材それぞれの縦軸心側の端部には、ドアを枢支するための上下の揺動軸が常時接する構造となって断熱性の点では不利であるが、軸心側断熱片の厚みをその他よりも厚くしてあるので、その不利を相殺又は軽減させて優れた断熱性を発揮可能となっている。
【００２７】
請求項８の発明によれば、断熱材がその肉厚側という極短い（薄い）距離を隔て、かつ、広い接触面積でもって互いに対向する第２枠側壁と第１枠側壁との間に介装されており、ドアを枢支する第２枠を強度十分に第１枠に強度十分にして支持させることができるとともに、第２枠及びドアに対して第１枠を十分に断熱させることも可能である。この場合、請求項９のように、螺着手段を用いて第２枠側壁と第１枠側壁とを貫通支持させれば、第１枠と第２枠との支持強度をより一層高めることが可能となる利点がある。
【００２８】
請求項１０の発明によれば、詳しくは実施形態の項にて説明するが、断熱材を第２枠側壁又は第１枠側壁に仮装備させた状態で、第１枠と第２との組付けが可能になり、生産性に優れる断熱ドア装置を提供することができる。
【００２９】
請求項１１の発明によれば、硬質材製の心材と断熱材料製の表層とを積層一体化して断熱材が構成されているから、第１枠と第２枠との結合強度が増し、断熱性を持ちながら強度や剛性に優れるドア枠を有するととともに、防火（耐火）性能も改善される断熱ドア装置を提供することができる。
【発明を実施するための最良の形態】
【００３０】
以下に、本発明による断熱ドア装置の実施の形態を、マンションの玄関ドアとして採用した場合について図面を参照しながら説明する。図１，２は玄関ドアの正面図と背面図、図３，４は断熱ドア装置全体の横断面図と縦断面図、図５，６は玄関ドア部分の横断面図と縦断面図である。
【００３１】
〔実施例１〕
実施例１による断熱ドア装置Ａは、図１，図２に示すように、マンション建物に組み付けられて支持される正面視（前後方向視）が矩形筒状のドア枠１と、縦軸心Ｐ回りで揺動開閉可能にドア枠１内にて枢支されるドア（玄関ドア）２とを備えて構成されている。ドア２には、ノブ（取っ手）２５、及び上下一対の錠２６，２６が装備されている。尚、本発明は、玄関ドア、屋上ドア、勝手口ドア等の屋外と屋内とを仕切るドアだけでなく、屋内どうしの間のドア、例えば、部屋と土間との間のドア、屋内車庫と廊下との間のドア、ホテルや旅館内における防火ドア等、種々のドアに適用可能である。
【００３２】
図３，図４に示すように、断熱ドア装置Ａの屋外側は、踏面となる下アプローチ型材３３、左右の横アプローチ型材３４，３４、及び上アプローチ型材３６から成るアプローチ部（符記省略）が配備されている。そして、屋内側には、左右の側壁パネル３１，３１と天井パネル３５を有する玄関フロア３２が形成されている。ドア枠１は、屋内側となる第１枠１Ａと、屋外側となる第２枠１Ｂと、それら両者１Ａ，１Ｂの間に介装される断熱材１３とから構成されており、両枠１Ａ，１Ｂ及びアプローチ部は、縦柱や支柱、或いはコンクリート壁等の建物の躯体Ｋにステー３７を介することで支持されている。
【００３３】
前記断熱ドア装置Ａの長所を概略説明すると、図１〜図４に示すように、屋内側となる第１枠（第１ドア枠）１Ａと、屋外側となる第２枠（第２ドア枠）１Ｂとを、それらの間に板状断熱材３を広い面積側の表裏面が面当接する状態（横臥姿勢で挟持する状態）で挟み込んで一体化して成るサンドイッチ構造のドア枠１を有するとともに、第１枠１Ａを建物躯体Ｋに固定し、かつ、第２枠１Ｂにドア２を開閉可能に枢支するようにした構成を特徴としている。
【００３４】
つまり、第１枠１Ａと第２枠１Ｂとが断熱材３の肉厚という極短い（薄い）距離を隔て、かつ、広い接触面積でもって相対固定されるので、ドア２を枢支する第２枠１Ｂを強度十分に第１枠１Ａに支持させることができるとともに、屋外側に配置される第２枠１Ｂ及びドア２に対して第１枠１Ａを必要十分に断熱させることが可能となる。また、第２枠１Ｂがサンドイッチ構造によって強度十分に支持されるので、例えば、建物表面に広い面積でもって沿わせることで支持強度を補うような構成を採る必要がなく、第２枠１Ｂの枠厚を薄くも厚くもすることが自在であり、狭い箇所でも配置取付可能である上、必要な機能を維持しながら意匠性（デザイン性）の自由度も高い。
【００３５】
図１〜図４に示すように、ドア枠１は、建物の躯体Ｋに取付けられる屋内側の第１枠１Ａと、縦軸心Ｐ回りで揺動開閉可能にドア２を枢支し、かつ、断熱材３を介して第１枠１Ａに連結される屋外側の第２枠１Ｂとを有して構成されるとともに、断熱材３は板状に形成されてその内面（表面）３ａが第１枠１Ａに面当接され、かつ、外面（裏面）３ｂが第２枠１Ｂに面当接される状態で第１枠１Ａと第２枠１Ｂとの間に介装されている。
【００３６】
第１枠１Ａはアルミ合金や鋼板等の金属製であって、第１上横部材４と、第１下横部材５と、縦軸心Ｐ側の第１右側部材６と、ドア開閉端側の第１左側部材７とを有して構成されており、Ｌ字形の取付片８の複数個を用いて躯体Ｋに螺着固定される。第２枠１Ｂもアルミ合金や鋼板等の金属製であって、第２上横部材９、第２下横部材１０、縦軸心Ｐ側の第２右側部材１１、ドア開閉端側の第２左側部材１２とを有して構成されている。
【００３７】
ドア２は、ドア本体２Ａと、ドア本体２Ａの一側端に固着される断面半円状の枢支端カバー２Ｂと、ドア本体２Ａの表面側（屋外側）に固着される化粧パネル２Ｃとを有して、縦軸心Ｐ回りで揺動開閉可能に第２枠１Ｂに、具体的には第２上横部材９と第２下横部材１０とに亘って架設されて枢支されている。
【００３８】
ドア枠１における断熱材３の介装構造について詳述する。図３〜図６に示すように、断熱材３は、第１上横部材４と第２上横部材９との間に介装される上断熱片３Ａと、第１下横部材５と第２下横部材１０の間に介装される下断熱片３Ｂと、第１右側部材６と第２右側部材１１との間に介装される右断熱片（軸心側断熱片）３Ｃと、第１左側部材７と第２左側部材１２との間に介装される左断熱片（開閉側断熱片）３Ｄとから構成されている。いずれの断熱片３Ａ〜３Ｄも、第１枠１Ａの各部材４〜７の前壁４Ａ〜７Ａと第２枠１Ｂの各部材９〜１２の背壁９Ａ〜１２Ａとの間に挟まれている。
【００３９】
第１枠１Ａと第２枠１Ｂとは、第１枠１Ａが第２枠１Ｂよりもドア内方となる入出用スペースＳに若干張出す突出部ｔが形成されるように第１枠１Ａの各部材４〜７及び第２枠１Ｂの各部材９〜１２が相対配置されている。そして、突出部ｔによって第２枠１Ｂとの間に形成される右縦溝部分ｍｃ（＝溝部ｍ）にドアシール材１３が落し込み配置されている。つまり、閉じ状態でのドア２のドア面２ａ，２ｂに沿う方向において第１枠１Ａが第２枠１Ｂよりも内側に張り出る突出部ｔを有し、かつ、断熱材３が突出部ｔにも重なるように設定されるとともに、閉じ状態でのドア２に接触させて気密させるためのドアシール材１３が、断熱材３を介して突出部ｔに置されているのである。
【００４０】
断熱材３のさらに詳細な介装構造を、例として図５，図３を用いて説明する。まず、ドア開閉端側においては、第１左側部材７の前壁７Ａは第２左側部材１２よりも内方となる部分の短い幅のものとして形成されており、第１左側部材７の内側壁７Ｂは、その前端が折り返されることで前壁７Ａよりも前方に突出する折返し壁部７ｂを有している。第２左側部材１２は、前壁７Ａよりも外方に位置ズレされて配置される背壁１２Ａと、最も内方に突き出る最屋内側（最後方側）の後内壁部１２１、最も外方に寄った最屋外側（最前方側）の前内壁部１２２、及びそれらの間に位置する中間内壁部１２３とから成る内方壁１２Ｂとを有している。また、背壁１２Ａは、その外端から直角に折れ曲って続くフランジ壁１２ａを備えている。
【００４１】
左断熱片３Ｄは、前壁７Ａと背壁１２Ａとの間に介装される板状（全体としては帯状）のものであって、その外端から直角に前方に折れ曲って続くフランジ状の補助板状部３ｆを有していて断面形状が略Ｌ字形状を為している。第１左側部材７と左断熱片３Ｄとは、後内壁部１２１の内方位置において、左断熱片３Ｄにビス頭が配置されて前壁７Ａに螺着される皿ビス１４を用いて連結一体化されている。第２左側部材１２と左断熱片３Ｄとは、左断熱片３Ｄにビス頭が配置されて背壁１２Ａに螺着される皿ビス（第２螺子の一例）３８、及び補助板状部３ｆにビス頭が配置されてフランジ壁１２ａに螺着されるナベビス１５を用いて強固に連結一体化されている。つまり、断熱材３は、第２枠１Ｂに対しては縦横の双方からビス止めされていてズレ動くことなく強固に一体化されており、それによって第１枠１Ａと第２枠１Ｂとの断熱材３を介しての一体化強度も向上させてある。
【００４２】
そして、ドアシール材１３は、後内壁部１２１と折返し壁部７ｂと左断熱片３Ｄの内方部分とで形成される左縦溝部分ｍｄ（＝溝部ｍ）に落し込み配置されて（溝奥に押し込んで配置すること）いる。ドアシール材１３は、先端に密封円筒部１６を有するループ型シールとして圧入設置されるのものであるが、接着剤を用いて貼着する等、別の手段で設置させても良い。溝部ｍに皿ビス１４のビス頭を臨ませることにより、溝部ｍを通しての第２枠１Ｂ側からの第１枠１Ａ連結用の皿ビス１４の締弛操作が可能に構成されている。加えて、組付け後の使用時には、溝部ｍに配置されるドアシール材１３によって皿ビス１４のビス頭が見えないように隠されており、それによって見栄えを良くしてある。
【００４３】
つまり、閉じ状態でのドア２の表面（ドア面の一例）２ａや裏面（ドア面の一例）２ｂに沿う方向において第１枠１Ａが第２枠１Ｂよりも内側に張り出る突出部ｔを有し、かつ、断熱材３が突出部ｔにも重なるように設定されるとともに、第１螺子である皿ビス１４を突出部ｔに配置することによって第１螺子操作用手段２２が構成されている。そして、断熱材３が、第１枠１Ａと第２枠１Ｂとの間に介装される主板状部３ｉと、その主板状部３ｉの一端から主板状部３ｉの面に沿う方向に交差する方向に延設される補助板状部３ｆと、を有する断面Ｌ字形状又はほぼＬ字形状の型材に形成されるとともに、主板状部３ｉと補助板状部３ｆとの双方において断熱材３と第２枠１Ｂとが相対固定されている。
【００４４】
次に、縦軸心Ｐ側の断熱材介装構造は、前述した開閉端側の構造とほぼ同じであり、違う部分について説明する。尚、開閉端側の構成と同様の機能や箇所には対応する同様の符号を付し、その説明が為されたものとする。即ち、図５に示すように、第２右側部材１１の背壁１１Ａは、内方壁１１Ｂの中間内壁部１１３の裏面に一体化される補助側部材１１Ｈの背壁として形成されており、同様にフランジ壁１１ａも有している。尚、縦軸心側のドアシール１３のみ、一対のシールリップ１９，１９を有するリップ型シールとして圧入設されるものに構成されている。
【００４５】
右断熱片３Ｃは、補助板状部３ｆを有する断面形状Ｌ字形の第１断熱板１７と、平板状の（帯板状の）第２断熱板１８とを重ねた二層構造のものに構成されている。これら第１断熱板１７と第２断熱板１８とは、第１右側部材６との連結用皿ビス１４，３８と、第２右側部材１１との連結用皿ビス３８とによって連結一体化されており、皿ビス１４，３８の兼用ボルト止めによる合理化構造とされている。第２上横部材９及び第２下横部材１０それぞれの縦軸心Ｐ側の端部には、ドア２を枢支するための上下の揺動軸２０，２１が常時接していて、断熱性の点では不利であるが、断熱材３を、二枚の断熱板１７，１８を積層した厚肉のものとすることにより、前述の不利を相殺又は軽減させることが可能となっている。
【００４６】
そして、図６に示すように、上断熱片３Ａ及び下断熱片３Ｂに関する構造は、概ね左断熱片３Ｄの場合と同じであり、対応する箇所には対応する符号を付記（例：１２Ａ→９Ａ，１０Ａ）し、その説明が為されたものとする。即ち、第１上横部材４と第２上横部材９とが上断熱片３Ａを介してビス止め連結一体化されており、第１下横部材５と第２下横部材１０とが下断熱片３Ｂを介してビス止め連結一体化されている。双方共に円筒部１６を有するドアシール材１３が上横溝部分ｍａ、下横溝部分ｍｂに設置されている。尚、第２上横部材９には縦軸心Ｐを持つ上揺動軸２０が支承され、第２下横部材１０には縦軸心Ｐを持つ下揺動軸２１が支承されている。
【００４７】
図５に示すように、ステー３７（図３，４参照）に溶着される取付片２３ａを備えた屈曲板状の取付部材２３が、第１右側部材６及び第１左側部７の上下複数箇所に一体化されている。同様に、ステー３７（図３，４参照）に溶着される取付片２４ａを備えた屈曲板状の取付部材２４が、第２右側部材１１及び第２左側部１２の上下複数箇所に一体化されている。そして、図６に示すように、ステー３７（図３，４参照）に溶着される取付片２７ａを備えた屈曲板状の取付部材２７が、第１上横部材４及び第１下横部材５の左右複数箇所に一体化されている。同様に、ステー３７（図３，４参照）に溶着される取付片２８ａを備えた屈曲板状の取付部材２８が、第２上横部材９及び第２下横部材１０の左右複数箇所に一体化されている。
【００４８】
上述のように、第１枠１Ａと断熱材３との連結手段である複数の皿ビス（第１螺子の一例）１４は、その全てが溝部ｍを通しての第２枠１Ｂ側から締込み及び緩みの螺着操作が行えるようになっており、その溝部ｍにより、皿ビス１４の締弛操作が第２枠１Ｂ側から行えるようにするための第１螺子操作用手段２２が構成されている。建物に装着されている使用状態では、それら皿ビス１４（第１螺子）はドアシール材１３によって覆われて見えないので好都合であるが、それらドアシール材１３を取外して皿ビス１４を操作することにより、断熱材３が装着された状態の第２枠１Ｂを第１枠１Ａから取外すことが可能である。
【００４９】
従って、第２枠１Ｂを、即ちドア２を強度十分に支持できる断熱ドアでありながらも、マンション等の建物への装着後において、第２枠１Ｂが経時によって汚れたり損傷した場合の新品等への交換が可能であるとともに、第２枠１Ｂを異なるデザインや形状のものに付替えることも可能である。
【００５０】
〔実施例２〕
断熱材３は、断熱材料からなる表層３９と、強度や剛性を有する硬質材で成る心材４０とが積層一体化されて成る積層部材でも良い。例として上断熱片３Ａで説明すると、図７に示すように、ステンレス材、鋼板、アルミ合金等で成る心材４０の表裏両面に、ＦＲＰ、フェルト、ＰＶＣ等の断熱性を有する合成樹脂材料で成る表層（断熱層）３９，３９が積層されたサンドイッチ構造のものである。図示のように、表層３９と同じ材料によって心材４０の端面を覆う端面材４１，４１を設けて、心材４０を覆うようにすれば好都合である。
【００５１】
このように、心材４０付の断熱材３とすれば、第１枠１Ａと第２枠１Ｂとの連結強度が向上してより高強度なドア枠１になるとともに、断熱３としての耐火強度耐火温度が上がり、防火上でもより好ましいドア枠１を有する断熱ドア装置Ａを提供することが可能になる。尚、心材４０と片側の表層３９とが積層された構造の断熱材３でも良いし、平板状やＺ状（階段状）等の断面形状がＬ字形以外のものも可能である。また、断熱性を有する合成樹脂としては種々のものが可能である。
【００５２】
〔実施例３〕
実施例３による断熱ドア装置Ａは、図８，図９に示すように、第１枠１Ａの第２枠側壁１ｆと第２枠１Ｂの第１枠側壁１ｒとが対向配備され、第２枠側壁１ｆと第１枠側壁１ｒとの間に断熱材３が介装されている。断熱材３の断面形状（長手方向視形状）は、第１枠側壁１ｒを挟み込み可能となるようにＪ字形（ほぼＪ字形や略コ字形でも良い）に形成されるとともに、第２枠側壁１ｆと断熱材３と第１枠側壁１ｒとがこれらを貫通するボルト（螺着手段の一例）によって一体的に連結されている。尚、図８，９に示す実施例３に断熱ドア装置Ａにおいては、図４，５等に示される実施例１による断熱ドア装置Ａと異なる部分、即ち断熱材３の周辺部位のみ説明するものとし、同じ箇所には同一の符号を記してその説明が為されたものとする。
【００５３】
即ち、断熱材３周辺の構造例としてドア開閉端側で説明すると、第１左側部材７の内側壁７Ｂは、その前端が折り返されることで前壁７Ａよりも前方に突出する折返し壁部７ｂを有しており、それに続く前壁７Ａは、その横側端が実施例１の場合（図５を参照）に比べて延びていて第２枠側壁１ｆを形成している。第２左側部材１２の背壁１２Ａは、その横外側端の位置が前壁７Ａの端位置と同等に設定され、かつ、折返し壁部１２ｂを伴って横内側端の位置が第１左側部材７の折返し壁部７ｂに到達せんとする平板状の第１枠側壁１ｒを形成している。
【００５４】
つまり、後内壁部１２１と第２左側部材１２の折返し壁部１２ｂと第１左側部材７の折返し壁部７ｂとによって左縦溝部分ｍｄ（＝溝部ｍ）が形成されており、ドアシール材１３は断熱材３に接する状態で設置される。断熱材３は、前壁７Ａと背壁１２Ａとの間に介装される本体部３ｈと、第２左側部材１２の折返し壁部１２ｂとドアシール材１３との間に介装される返り部３ｋと、第２左側部材１２の折返し壁部１２ｂの横端において本体部３ｈと返り部３ｋとを繋ぐ連結部３ｒと、を有する断面Ｊ字状のものに構成されている。
【００５５】
皿ビス（第１螺子の一例）１４は、第１螺子操作用手段２２に相当する左縦溝部分ｍｄから操作可能であって、返り部３ｋから第２左側部材１２の折返し壁部１２ｂ及び本体部３ｈを挿通し、前壁７Ａに螺着されている。また、前壁７Ａ及び本体部３ｈを挿通し、背壁１２Ａに螺着されるナベビス（第２螺子の一例）３８が設けられており、これら皿ビス１４とナベビス３８との対が上下に複数組設定されており、それらによって第１左側部材７と第２左側部材１２とが断熱されながらも強固に連結一体化されている。第１左側部材７の室内側壁である後壁７Ｃの外端はナベビス３８の螺軸中心ｙよりも僅かに内側に寄った位置に設定されており、それによってドライバー等のナベビス操作用工具（図示省略）でのナベビス３８の回し操作が可能な第２螺子操作用手段４２が構成されている。
【００５６】
実施例３による断熱ドア装置Ａでは、前壁７Ａ（４Ａ，５Ａ，６Ａ）と背壁１２Ａ（９Ａ，１０Ａ，１１Ａ）との両者に跨って挿通される皿ビス１４とナベビス３８との対により、第１枠１Ａと第２枠１Ｂとが一体連結されている。そして、前壁７Ａ（４Ａ，５Ａ，６Ａ）と背壁１２Ａ（９Ａ，１０Ａ，１１Ａ）との間に介装される本体部３ｈ、並びに折返し部７ｂ（４ｂ，５ｂ，６ｂ）と折返し部１２ｂ（９ｂ，１０ｂ，１１ｂ）との間に介装される連結部３ｒとにより、第１枠１Ａと第２枠１Ｂとは皿ビス１４とナベビス３８以外は断熱材３を介して接触しており、優れた断熱効果と強固な連結強度との双方を発揮するものとなっている。
【００５７】
また、断熱材３は、その断面形状がコ字形又はほぼコ字形或いはＪ字形又はほぼＪ字形に形成されていて、第１枠側壁１ｒ（又は第２枠側壁１ｆ）、即ち背壁１２Ａ（９Ａ，１０Ａ，１１Ａ）を挟み込み可能であるから、組付け時には、断熱材３を折返し壁部１２ｂ（９ｂ，１０ｂ，１１ｂ）を含む背壁１２Ａ（９Ａ，１０Ａ，１１Ａ）に挿入して仮装着させることが可能であり、その断熱材３が仮装着されている第２枠１Ｂと台枠１Ａとを、皿ビス１４とナベビス３８とを用いて簡単で便利に組付けることができる（例えば、単に板状の断熱材を介装させる構成では、手指で断熱材を支持しながら両枠１Ａ，１Ｂを合せてボルト通しする、という面倒でやり難い作業が必要になる）。
【図面の簡単な説明】
【００５８】
【図１】マンションの玄関に適用された断熱ドア装置の正面図（実施例１）
【図２】図１の断熱ドア装置の背面図
【図３】図１の断熱ドア装置の横断面図
【図４】図１の断熱ドア装置の縦断面図
【図５】図３の横断面図における要部を示す拡大断面図
【図６】図４の縦断面図における要部を示す拡大断面図
【図７】断熱材の別構造を示す要部の拡大断面図（実施例２）
【図８】断熱ドア装置の要部の横断面図（実施例３）
【図９】図８の断熱ドア装置の要部の縦断面図
【符号の説明】
【００５９】
１Ａ        第１枠
１Ｂ        第２枠
１ｆ        第２枠側壁
１ｒ        第１枠側壁
２          ドア
２ａ，２ｂ  ドア面
３          断熱材
３Ａ        上断熱片
３Ｂ        下断熱片
３Ｃ        軸心側断熱片
３Ｄ        開閉側断熱片
３ａ        表面
３ｂ        裏面
３ｉ        主板状部
３ｆ        補助板状部
１３        ドアシール材
１４        第１螺子
２２        第１螺子操作用手段
３８        第２螺子
３９        表層
４０        心材
Ｋ          躯体
Ｐ          縦軸心
Ｒ          螺着手段
ｔ          突出部
【図１】
2009221790.tif 000003
【図２】
2009221790.tif 000004
【図３】
2009221790.tif 000005
【図４】
2009221790.tif 000006
【図５】
2009221790.tif 000007
【図６】
2009221790.tif 000008
【図７】
2009221790.tif 000009
【図８】
2009221790.tif 000010
【図９】
2009221790.tif 000011